(57)【特許請求の範囲】
【請求項１】
所定の電源供給開始指示に応じて交流電源から当該スイッチング電源装置の負荷に，前記交流電源と前記負荷とを電気的に絶縁する第一の絶縁手段を介して電力を供給する第一の電源回路と，
前記所定の電源供給開始指示の有無にかかわらず，前記交流電源から当該スイッチング電源装置の制御手段に，前記交流電源と前記制御手段とを電気的に絶縁する第二の絶縁手段を介して電力を供給する第二の電源回路と，
を備えてなるスイッチング電源装置であって，
前記第一の電源回路が，
前記交流電源から出力される交流電圧を直流電圧に変換する第一の整流回路と，前記第一の整流回路から出力された直流電圧を交流電圧に変換して前記第一の絶縁手段に出力するための第一のスイッチング回路と，前記第一の絶縁手段から出力された交流電圧を直流電圧に変換して前記負荷に出力する第二の整流回路と，前記第二の整流回路から前記負荷に出力される直流電圧が該負荷の駆動電圧値になるように前記第一のスイッチング回路のスイッチング制御を行う第一のスイッチング制御手段と，前記第一の絶縁手段から出力された交流電圧を直流電圧に変換して前記第一のスイッチング制御手段に出力する第三の整流回路と，前記第一の絶縁手段の一次側に設けられ，前記第一のスイッチング制御手段により前記第一のスイッチング回路のスイッチング制御が行われていない場合に，前記第二の整流回路から前記負荷に出力される直流電圧が該負荷の駆動電圧値よりも低く，且つ前記第三の整流回路から前記第一のスイッチング制御手段に出力される直流電圧が該第一のスイッチング制御手段の動作可能な駆動電圧値になるように，前記第一のスイッチング回路のスイッチング制御を行う第二のスイッチング制御手段と，を有してなり，
前記第二の電源回路が，
前記第二の絶縁手段の一次側に設けられ，前記交流電源から出力された交流電圧を前記第二のスイッチング制御手段の駆動電圧値以上の直流電圧に変換して該第二のスイッチング制御手段に出力する第四の整流回路を有してなることを特徴とするスイッチング電源装置。
【請求項２】
前記第一のスイッチング制御手段及び／又は前記第二のスイッチング制御手段が，前記第一のスイッチング回路のＰＷＭ制御を行うものである請求項１に記載のスイッチング電源装置。
【請求項３】
前記第一の整流回路により出力される直流電圧のスイッチング動作を行う第二のスイッチング回路を更に備えてなり，
前記第二のスイッチング制御手段が，前記第二のスイッチング回路のスイッチング制御を行うことにより前記第一の整流回路から出力される直流電圧を安定化させる安定化手段を含んでなる請求項１又は２のいずれかに記載のスイッチング電源装置。
【請求項４】
前記第二のスイッチング制御手段が，前記第一のスイッチング制御手段から前記第一のスイッチング回路へ続く第一の信号経路と，当該第二のスイッチング制御手段から前記第一のスイッチング回路へ続く第二の信号経路とを，前記第一のスイッチング制御手段の駆動の有無に応じて切り換える信号経路切換手段を含んでなる請求項１〜３のいずれかに記載のスイッチング電源装置。
【請求項５】
前記第一の信号経路上の制御信号の有無を検出する信号有無検知手段を更に備えてなり，
前記信号経路切換手段が，前記信号有無検知手段による検知結果に応じて前記第一の信号伝達経路と前記第二の信号伝達経路とを切り換えるものである請求項４に記載のスイッチング電源装置。
【発明の詳細な説明】
【技術分野】
【０００１】
本発明は，電子機器に用いられるスイッチング電源装置に関し，特に，前記電子機器の待機中の消費電力を省減するための技術に関するものである。
【背景技術】
【０００２】
商用交流電源から供給される交流電圧を整流・平滑化した直流電圧を，スイッチング回路のスイッチングパルスのデューティー比などを制御することによって所望の直流電圧に変換して，テレビジョン放送受像機やビデオレコーダー，その他の電化製品などの電子機器に出力するスイッチング電源装置がある（例えば，特許文献１参照）。
一方，電子機器の待機中の消費電力を省減するべく，該電子機器の稼働時に電力供給を行う主電源回路とは別に，待機中（非稼動時）にマイコンなどの制御部に電力供給を行うバックアップ電源回路を備えるスイッチング電源装置が知られている。
【０００３】
以下，図３を用いて，前記バックアップ電源回路を有する従来のスイッチング電源装置Ｙについて説明する。
図３に示すように，前記スイッチング電源装置Ｙでは，商用交流電源１に接続された入力端子ａ１，ａ２から供給される交流電圧が，ノイズフィルタなどのフィルタ回路２を介して，主電源回路１０（第一の電源回路の一例）及びバックアップ電源回路２０（第二の電源回路の一例）に供給される。前記主電源回路１０の出力端子ｂ１，ｂ２は，電子機器の負荷に接続されており，前記バックアップ電源回路２０の出力端子ｃ１，ｃ２は，電子機器のマイコン（制御部）やその周辺回路等に接続されている。
前記バックアップ電源回路２０への前記交流電圧の供給は常時行われるが，前記主電源回路１０への前記交流電圧の供給の有無は，前記フィルタ回路２と前記主電源回路１０との間に設けられたスイッチＳ１のＯＮ／ＯＦＦにより制御される。なお，前記スイッチＳ１のＯＮ／ＯＦＦは，前記バックアップ電源回路２０からの電力供給を受けて機能する前記マイコンによって制御される。
【０００４】
まず，前記主電源回路１０の構成について説明する。
前記主電源回路１０は，前記商用交流電源に接続された一次側回路１０ａと，前記負荷に接続された二次側回路１０ｂと，前記一次側回路１０ａ及び前記二次側回路１０ｂを絶縁するトランス１１とを備えている。
前記一次側回路１０ａには，整流回路１２（第一の整流回路の一例），ＰＦＣ回路１３（安定化手段の一例），ＰＷＭ制御回路１４及びスイッチング素子１５（第一のスイッチング回路の一例）が設けられており，前記二次側回路１０ｂには，整流回路１６（第二の整流回路の一例）及びＰＷＭ制御回路１７が設けられている。
前記整流回路１２は，整流素子１２１，コイル１２２，コンデンサ１２３を有しており，前記商用交流電源に接続された前記入力端子ａ１，ａ２から前記フィルタ回路２を介して供給される交流電圧を，整流・平滑化して直流電圧を出力する。前記整流回路１２から出力された前記直流電圧は，前記ＰＦＣ回路１３に入力される。
【０００５】
前記ＰＦＣ回路１３は，リアクタ１３１，ダイオード１３２，スイッチング素子１３３（第二のスイッチング回路の一例），コンデンサ１３４を有しており，前記スイッチング素子１３３が前記ＰＷＭ制御回路１４によって制御されることにより，前記整流回路１２から入力される直流電圧のスイッチング動作を行うことにより該直流電圧を安定化して出力する。前記スイッチング素子１３３には，例えばＦＥＴやトランジスタが用いられる。
前記ＰＷＭ制御回路１４は，前記ＰＦＣ回路１３に入力される電流を検出する入力電流検出回路１４１と，前記ＰＦＣ回路１３から出力される電流を検出する出力電流検出回路１４２と，前記ＰＦＣ回路１３から出力される電圧を検出する電圧検出回路１４３と，前記入力電流検出回路１４１，前記出力電流検出回路１４２及び前記電圧検出回路１４３による検出値に基づいて前記スイッチング素子１３３のＰＷＭ制御を行うＡＳＩＣ等のＰＷＭ制御部１４４と，を備えて構成されている。前記ＰＷＭ制御部１４４への電力の供給は，前記バックアップ電源回路２０に設けられた後述の整流回路２３により行われる。
【０００６】
前記ＰＦＣ回路１３から出力された直流電圧は，前記ＰＷＭ制御回路１７により制御される前記スイッチング素子１５のスイッチング動作により交流電圧に変換されて，前記トランス１１の一次巻線１１ａに入力される。前記スイッチング素子１５には，例えばＦＥＴやトランジスタが用いられる。
前記ＰＷＭ制御回路１７は，前記整流回路１６から出力される電流を検出する出力電流検出回路１７１と，前記整流回路１６から出力される電圧を検出する電圧検出回路１７２と，前記出力電流検出回路１７１及び前記電圧検出回路１７２による検出値に基づいて前記スイッチング素子１５のＰＷＭ制御を行うＡＳＩＣ等のＰＷＭ制御部１７３（第一のスイッチング制御手段の一例）と，前記ＰＷＭ制御部１７３に供給される電圧が該ＰＷＭ制御部１７３の動作電圧に達した場合に前記ＰＷＭ制御部１７３を始動させる始動回路１７４と，前記ＰＷＭ制御部１７３から送信される制御信号に応じて前記スッチング素子１５を駆動する駆動回路１７５と，前記ＰＷＭ制御部１７３及び前記駆動回路１７４を電気的に絶縁するフォトカプラ１７６と，を有している。前記ＰＷＭ制御部１７３への電力の供給は，前記バックアップ電源回路２０に設けられた後述の整流回路２７により行われる。
【０００７】
前記ＰＷＭ制御回路１７による前記スイッチング素子１５のＰＷＭ制御により前記トランス１１の一次巻線１１ａに交流電圧が印加されると，該トランス１１では，二次巻線１１ｂに交流電圧が誘起される。前記トランス１１の二次巻線１１ｂから出力される交流電圧は，前記整流回路１６に入力される。
前記整流回路１６は，ダイオード１６１，１６２，コイル１６３，コンデンサ１６４を有しており，前記トランス１１から入力される交流電圧を，整流・平滑化して直流電圧を出力する。前記整流回路１６から出力された前記直流電圧は，前記出力端子ｂ１，ｂ２を介して電子機器の負荷に供給される。
【０００８】
次に，前記バックアップ電源回路２０の構成について説明する。
前記バックアップ電源回路２０は，前記商用交流電源に接続された一次側回路２０ａと，前記マイコン及びその周辺回路等に接続された二次側回路２０ｂと，前記一次側回路２０ａ及び前記二次側回路２０ｂを絶縁するトランス２１とを備えている。
前記一次側回路２０ａには，整流回路２２，２３（第四の整流回路の一例），スイッチング素子２４及びＰＷＭ制御回路２５が設けられており，前記二次側回路２０ｂには，整流回路２６，２７が設けられている。
【０００９】
前記整流回路２２は，整流素子２２１，コンデンサ２２２を有しており，前記商用交流電源に接続された前記入力端子ａ１，ａ２から前記フィルタ回路２を介して供給される交流電圧を，整流・平滑化して直流電圧を出力する。
前記整流回路２２から出力された前記直流電圧は，前記ＰＷＭ制御回路２５により制御される前記スイッチング素子２４のスイッチング動作により交流電圧に変換されて，前記トランス２１の一次巻線２１ａに入力される。前記スイッチング素子２４には，例えばＦＥＴやトランジスタが用いられる。
前記ＰＷＭ制御回路２５は，前記整流回路２６から出力される電圧を検出する電圧検出回路２５１と，前記電圧検出回路２５１による検出値に基づいて前記スイッチング素子２４のＰＷＭ制御を行うＡＳＩＣ等のＰＷＭ制御部２５２と，前記ＰＷＭ制御部２５２から送信される制御信号に応じて前記スッチング素子２４を駆動する駆動回路２５３と，前記電圧検出回路２５１及び前記ＰＷＭ制御部２５２を電気的に絶縁するフォトカプラ２５４と，を有している。
【００１０】
前記ＰＷＭ制御回路２５による前記スイッチング素子２４のＰＷＭ制御により前記トランス２１の一次巻線２１ａに交流電圧が印加されると，該トランス２１では，二次第１巻線２１ｂ，二次第２巻線２１ｃ，二次第３巻線２１ｄ各々に交流電圧が誘起される。
前記トランス２１の二次第１巻線２１ｂから出力される交流電圧は前記整流回路２６に，二次第２巻線２１ｃから出力される交流電圧は前記整流回路２３に，二次第３巻線２１ｄから出力される交流電圧は前記整流回路２７に入力される。
前記整流回路２６は，ダイオード２６１，コンデンサ２６２を有しており，前記トランス２１から入力される交流電圧を，整流・平滑化して直流電圧を出力する。前記整流回路２６から出力された前記直流電圧は，前記出力端子ｃ１，ｃ２を介して電子機器のマイコン及びその周辺回路等に供給される。
前記整流回路２３は，ダイオード２３１，コンデンサ２３２，安定化回路２３３を有しており，前記トランス２１から入力される交流電圧を，整流・平滑化して直流電圧を出力する。前記整流回路２３から出力された前記直流電圧は，前記ＰＷＭ制御部１４４の電源として供給される。
前記整流回路２７は，ダイオード２７１，コンデンサ２７２，安定化回路２７３を有しており，前記トランス２１から入力される交流電圧を，整流・平滑化して直流電圧を出力する。前記整流回路２７から出力された前記直流電圧は，前記ＰＷＭ制御部１７３の電源として供給される。
【００１１】
このように構成された前記スイッチング電源装置Ｙでは，前記スイッチＳ１がＯＦＦの状態，即ち前記電子機器の負荷が稼働していない待機状態でも，前記バックアップ電源回路２０によって，前記マイコン及びその周辺回路等，前記ＰＷＭ制御部１４４及び前記ＰＷＭ制御部１７３への電力供給が常時行われている。そのため，前記スイッチング電源装置Ｙでは，待機状態においても前記バックアップ電源回路２０において電力が消費される。
そして，ユーザによる稼働開始要求などの操作が行われると，前記マイコンからの電源供給開始指示により，前記スイッチＳ１がＯＦＦからＯＮに切り替えられると共に，前記ＰＷＭ制御部１４４，１７３による制御が開始される。これにより，前記商用交流電源１から供給される交流電圧が，前記整流回路１２，前記ＰＦＣ回路１３，前記スイッチング素子１５，前記トランス１１，前記整流回路１６を経て直流電圧に変換された後，前記前記出力端子ｂ１，ｂ２に供給される。
【特許文献１】特開２００２−２１８７４９号公報
【発明の開示】
【発明が解決しようとする課題】
【００１２】
一般に，各種の電子機器においては，待機中の消費電力の低減が強く望まれる。そのため，待機中にも稼働されて電力を消費する前記バックアップ電源回路２０の回路構成はできるだけ縮小し，前記トランス２１の巻線数を削減することが望ましい。
従って，本発明は上記事情に鑑みてなされたものであり，その目的とするところは，電子機器の待機中（非稼働時）におけるバックアップ電源回路の消費電力を省減することのできるスイッチング電源装置を提供することにある。
【課題を解決するための手段】
【００１３】
上記目的を達成するために本発明は，所定の電源供給開始指示に応じて交流電源から当該スイッチング電源装置の負荷に，前記交流電源と前記負荷とを電気的に絶縁する第一の絶縁手段を介して電力を供給する第一の電源回路と，前記所定の電源供給開始指示の有無にかかわらず，前記交流電源から当該スイッチング電源装置の制御手段に，前記交流電源と前記制御手段とを電気的に絶縁する第二の絶縁手段を介して電力を供給する第二の電源回路と，を備えてなるスイッチング電源装置に適用されるものであって，前記第一の電源回路が，前記交流電源から出力される交流電圧を直流電圧に変換する第一の整流回路と，前記第一の整流回路から出力された直流電圧を交流電圧に変換して前記第一の絶縁手段に出力するための第一のスイッチング回路と，前記第一の絶縁手段から出力された交流電圧を直流電圧に変換して前記負荷に出力する第二の整流回路と，前記第二の整流回路から前記負荷に出力される直流電圧が該負荷の駆動電圧値になるように前記第一のスイッチング回路のスイッチング制御を行う第一のスイッチング制御手段と，前記第一の絶縁手段から出力された交流電圧を直流電圧に変換して前記第一のスイッチング制御手段に出力する第三の整流回路と，前記第一の絶縁手段の一次側に設けられ，前記第一のスイッチング制御手段により前記第一のスイッチング回路のスイッチング制御が行われていない場合に，前記第二の整流回路から前記負荷に出力される直流電圧が該負荷の駆動電圧値よりも低く，且つ前記第三の整流回路から前記第一のスイッチング制御手段に出力される直流電圧が該第一のスイッチング制御手段の動作可能な駆動電圧値になるように，前記第一のスイッチング回路のスイッチング制御を行う第二のスイッチング制御手段と，を有してなり，前記第二の電源回路が，前記第二の絶縁手段の一次側に設けられ，前記交流電源から出力された交流電圧を前記第二のスイッチング制御手段の動作電圧値の直流電圧に変換して該第二のスイッチング制御手段に出力する第四の整流回路を有してなることを特徴とするスイッチング電源装置として構成される。ここに，前記第一のスイッチング制御手段や前記第二のスイッチング制御手段は，例えば前記第一のスイッチング回路のＰＷＭ制御を行うものである。
このように構成された前記スイッチング電源装置では，従来前記第二の電源回路側に設けられていた前記第三の整流回路が前記第一の電源回路側に設けられているため，前記第二の電源回路の構成を従来よりも簡素化し，該第二の電源回路に設けられるトランス等の前記第二の絶縁手段の巻線数も削減することができる。したがって，前記第二の電源回路だけが駆動する前記スイッチング電源装置の待機状態における消費電力を省減することができる。
【００１４】
また，前記第一の整流回路により出力される直流電圧のスイッチング動作を行う第二のスイッチング回路を設けておき，前記第二のスイッチング制御手段によって前記第二のスイッチング回路のスイッチング制御を行うことにより前記第一の整流回路から出力される直流電圧を安定化させる安定化機能を具現することが考えられる。即ち，前記第二のスイッチング制御手段が，前記安定化機能と前記第一のスイッチング回路をスイッチング制御する機能に兼用される構成であることが考えられる。
本発明の具体的な構成例としては，前記第二のスイッチング制御手段が，前記第一のスイッチング制御手段から前記第一のスイッチング回路へ続く第一の信号経路と，当該第二のスイッチング制御手段から前記第一のスイッチング回路へ続く第二の信号経路とを，前記第一のスイッチング制御手段の駆動の有無に応じて切り換えるものであることが考えられる。より詳細には，前記第一の信号経路上の制御信号の有無を検出し，その検知結果に応じて前記第一の信号伝達経路と前記第二の信号伝達経路とを切り換えるように構成される。
【発明の効果】
【００１５】
本発明によれば，従来前記第二の電源回路側に設けられていた前記第三の整流回路が前記第一の電源回路側に設けられているため，前記第二の電源回路の構成を従来よりも構成を簡素化し，該第二の電源回路に設けられるトランス等の前記第二の絶縁手段の巻線数を削減することができる。したがって，前記第二の電源回路だけが駆動する前記スイッチング電源装置の待機状態における消費電力を省減することができる。
【発明を実施するための最良の形態】
【００１６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るスイッチング電源装置Ｘの概略構成を示すブロック図，図２は前記スイッチング電源装置Ｘにおける主電源起動時の動作を説明するための図である。なお，従来の前記スイッチング電源装置Ｙ（図３参照）と同様の構成要素には同じ符号を付してその説明を省略する。
図１に示すように，本発明の実施の形態に係るスイッチング電源装置Ｘは，従来のスイッチング電源装置Ｙのバックアップ電源回路２０に設けられた前記整流回路２７（図３参照）に換えて，前記主電源回路１０のトランス１１の二次第２巻線１１ｃに接続された整流回路３１（第三の整流回路の一例）を備えている。
このように構成された前記スイッチング電源装置Ｘでは，前記トランス１１の一次巻線１１ａに交流電圧が印加されると，該トランス１１の二次第２巻線１１ｃに誘起された交流電圧が，前記整流回路３１で整流・平滑化されて直流電圧に変換された後，前記ＰＷＭ制御部１７３の電源として供給される。
【００１７】
また，前記スイッチング電源装置Ｘに設けられた前記ＰＷＭ制御部１４４は，前記スイッチング素子１３３のＰＷＭ制御機能に加えて，前記スイッチング素子１５を駆動する駆動回路１７５に予め定められたスイッチング制御信号を出力する機能を備えている。なお，前述したように，前記ＰＷＭ制御部１４４には，前記バックアップ電源回路２０の整流回路２３から常時駆動電力が供給されている。
ここに，前記ＰＷＭ制御部１４４から前記駆動回路１７５に出力される前記スイッチング制御信号は，前記整流回路１６から出力される直流電圧が，前記電子機器の負荷が駆動可能な駆動電圧よりも低く，前記整流回路３１から出力される直流電圧が，前記ＰＷＭ制御部１７３が動作可能な駆動電圧になるように予め設定されたものである。
【００１８】
さらに，前記スイッチング電源装置Ｘは，前記ＰＷＭ制御部１７３からのスイッチング制御信号の出力の有無を検知する出力状態検知回路３２と，前記出力状態検知回路３２による検知結果に応じて前記ＰＷＭ制御部１４４及び前記ＰＷＭ制御部１７３のいずれか一方から出力されるスイッチング制御信号を前記駆動回路１７５に伝達するように信号経路を切り替える信号経路切換回路３３（信号経路切換手段の一例）と，を備えている。
前記信号経路切換回路３３は，前記ＰＷＭ制御部１７３からスイッチング制御信号が出力されていることが前記出力状態検知回路３２によって検知されている場合に，該ＰＷＭ制御部１７３から出力されるスイッチング制御信号を前記駆動回路１７５に伝達させ，前記ＰＷＭ制御部１７３からスイッチング制御信号が出力されていないことが前記出力状態検知回路３２によって検知されている場合には，前記ＰＷＭ制御部１４４から出力されるスイッチング制御信号を前記駆動回路１７５に伝達させる。
【００１９】
このように構成された前記スイッチング電源装置Ｘでは，従来のスイッチング電源装置Ｙに比べて，前記バックアップ電源回路２０の二次側回路２０ｂの回路構成が簡素化されているため，前記トランス２１の巻線数を削減することができ，また，待機中に前記バックアップ電源回路２０において消費される待機電力が省減される。
以下，図１を参照しつつ，図２のタイミングチャートに従って，前記スイッチング電源装置Ｘの動作について説明する。ここに，図２（ａ）は前記スイッチＳ１の状態，図２（ｂ）は前記ＰＷＭ制御部１４４から前記信号経路切換回路３３に入力されるスイッチング制御信号，図２（ｃ）は前記ＰＷＭ制御部１７３から前記信号経路切換回路３３に入力されるスイッチング制御信号，図２（ｄ）は前記信号経路切換回路３３から出力されるスイッチング制御信号，図２（ｅ）は前記出力端子ｂ１，ｂ２から出力される直流電圧，図２（ｆ）は前記整流回路３１から出力される直流電圧，図２（ｇ）は前記安定化回路３２から出力される直流電圧，図２（ｈ）は前記起動回路１７４から出力される制御信号を示している。
【００２０】
まず，前記マイコンからの電源供給開始指示が，前記スイッチＳ１，前記ＰＷＭ制御部１４４及び前記ＰＷＭ制御部１７３に入力されると，前記スイッチＳ１がＯＦＦからＯＮに切り替えられ，前記ＰＷＭ制御部１４４が駆動される（図２のＴ１の時点）。
この時点（Ｔ１）では，前記ＰＷＭ制御部１７３に駆動電力が供給されていないため，該ＰＷＭ制御部１７３は駆動しない。したがって，前記出力状態検知回路３２では，前記ＰＷＭ制御部１７３からのスイッチング制御信号の出力が検知されないため，前記信号経路切換回路３３によって，前記ＰＷＭ制御部１４４から前記駆動回路１７５へ続く信号経路（第二の信号経路の一例）が確立されている。したがって，前記ＰＷＭ制御部１４４から出力されるスイッチング制御信号（図２（ｂ））が前記駆動回路１７５に入力される（図２（ｄ））。
【００２１】
前記ＰＷＭ制御部１４４から出力されるスイッチング制御信号（図２（ｂ））が，前記駆動回路１７５に入力されると，該駆動回路１７５により前記スイッチング素子１５のスイッチング動作が行われ，前記トランス１１の一次巻線１１ａに交流電圧が供給される。
これにより，前記トランス１１の二次巻線１１ｂに誘起された交流電圧が前記整流回路１６に入力される。このとき，前記整流回路１６からは，前記交流電圧が整流・平滑化された直流電圧Ｖｍ０が出力される（図２（ｅ））。
また，前記トランス１１の二次第２巻線１１ｃに誘起された交流電圧は，前記整流回路３１に入力される。このとき，前記整流回路３１からは，前記交流電源が整流・平滑化された直流電圧Ｖｓ０が出力される（図２（ｆ））。
ここで，前記直流電圧Ｖｍ０は前記電子機器の負荷が駆動可能な駆動可能電圧よりも低く，前記直流電圧Ｖｓ０は前記ＰＷＭ制御部１７３が駆動可能な駆動可能電圧以上である。
【００２２】
前記整流回路３１から出力された直流電圧Ｖｓ０は，前記安定化回路３２によって前記ＰＷＭ制御部１７３の駆動が可能な駆動可能電圧Ｖｉに安定化された後，前記ＰＷＭ制御部１７３に供給される（図２（ｇ））。
これにより，前記ＰＷＭ制御部１７３への供給電圧値が駆動電圧値Ｖｉに達したことが前記起動回路１７４によって検知されるため，該起動回路１７４から前記ＰＷＭ制御部１７３に駆動開始信号が送信され（図２（ｈ）），該ＰＷＭ制御部１７３の駆動が開始する（図２のＴ２の時点）。
そして，前記ＰＷＭ制御部１７３の駆動が開始され，該ＰＷＭ制御部１７３における各種の起動処理が終了した後，図示するＴ３の時点から前記ＰＷＭ制御部１７３による前記信号経路切換回路３３へのスイッチング制御信号の送信が開始される（図２（ｃ））。
【００２３】
このとき，前記信号検知回路３２では，前記ＰＷＭ制御部１７３からのスイッチング制御信号の送信が検知されるため，前記信号経路切換回路３３によって，前記ＰＷＭ制御部１７３から前記駆動回路１７５へ続く信号経路（第一の信号経路の一例）が確立される。即ち，前記信号経路切換回路３によって，前記ＰＷＭ制御部１４４から前記駆動回路１７５へ続く信号経路と，前記ＰＷＭ制御部１７３から前記駆動回路１７５へ続く信号経路とが切り換えられる。したがって，前記ＰＷＭ制御部１７３から出力されるスイッチング制御信号（図２（ｃ））が前記駆動回路１７３に伝達される（図２（ｄ））。
ここで，前記ＰＷＭ制御部１７３は，該ＰＷＭ制御部１７３により生成されるスイッチング制御信号が，前記出力端子ｂ１，ｂ２の両端電圧が，予め設定された直流電圧Ｖｍ１に合致するように機能する。
したがって，前記トランス１１から前記整流回路１６及び前記整流回路３１に入力される交流電圧が増加し，前記整流回路１６からは直流電圧Ｖｍ１が出力され（図２（ｅ）），前記整流回路３１からは直流電圧Ｖｓ１が出力される（図２（ｆ））。
ここに，前記直流電圧Ｖｍ１は，前記電子機器の負荷の駆動電圧であって，前記直流電圧Ｖｓ１は，前記ＰＷＭ制御部１７３の駆動電圧Ｖｉ以上である。但し，前記整流回路３１から前記ＰＷＭ制御部１７３に供給される直流電圧は，前記安定化回路３２によって該ＰＷＭ制御部１７３の駆動電圧Ｖｉに調整される（図２（ｇ））。
その後，前記電子機器の負荷へ供給される直流電圧は，該負荷の駆動状態などに応じて前記ＰＷＭ制御部１７３によってＰＷＭ制御される。
【００２４】
以上，説明したように，前記スイッチング電源装置Ｘでは，前記ＰＷＭ制御部１４４及び前記信号経路切換回路３３によって，前記ＰＷＭ制御部１７３により前記スイッチング素子１５のスイッチング制御が行われていない場合に，前記整流回路１６から前記負荷に出力される直流電圧が該負荷の駆動電圧値よりも低く，且つ前記整流回路３１から前記ＰＷＭ制御部１７３に出力される直流電圧が該ＰＷＭ制御部１７３の動作可能な駆動電圧値になるように，前記スイッチング素子１５のスイッチング制御が行われる。なお，かかる制御を行うときの前記ＰＷＭ制御部１４４及び前記信号経路切換回路３３が第二のＰＷＭ制御手段に相当する。
このようにして始動することが可能な前記スイッチング電源装置Ｘでは，前述したように，前記ＰＷＭ制御部１７３を駆動させるための電源回路である前記整流回路３１を，前記主電源回路１０側に設けることができるため，前記バックアップ電源回路２０の構成が従来よりも簡素化され，該バックアップ電源回路２０のトランス２１の巻線数も削減することができる。これにより，前記スイッチング電源装置Ｘでは，前記電子機器の非駆動時（待機中），即ち前記バックアップ電源回路２０だけが駆動している状態における電力消費を省減することができる。
【図面の簡単な説明】
【００２５】
【図１】本発明の実施の形態に係るスイッチング電源装置の概略構成を示すブロック図。
【図２】本発明の実施の形態に係るスイッチング電源装置における主電源起動時の動作を説明するための図。
【図３】従来のスイッチング電源装置の概略構成を示すブロック図。
【符号の説明】
【００２６】
１…交流電源
２…フィルタ回路
１０…主電源回路（第一の電源回路の一例）
１０ａ…一次側回路
１０ｂ…二次側回路
１１…トランス（第一の絶縁手段の一例）
１２…整流回路（第一の整流回路の一例）
１３…ＰＦＣ回路
１４…ＰＷＭ制御回路（第二のスイッチング制御手段の一例）
１５…スイッチング素子
１６…整流回路（第二の整流回路の一例）
１７…ＰＷＭ制御回路（第一のスイッチング制御手段の一例）
２０…バックアップ電源回路（第二の電源回路の一例）
２０ａ…一次側回路
２０ｂ…二次側回路
２１…トランス（第二の絶縁手段の一例）
２２，２３…整流回路
２４…スイッチング素子
２５…ＰＷＭ制御回路
２６…整流回路
３１…整流回路（第三の整流回路の一例）
【図１】
0004657137.tif 000002
【図２】
0004657137.tif 000003
【図３】
0004657137.tif 000004